(57)【要約】【課題】粉粒物を収納する収納袋と、粉粒物出口と、筒状体と、散布ノズルとを備えた粉粒物散布器に係り、パッケージに収納した粉粒物を入れやすい収納袋とするとともに、散布し易い粉粒物散布器とした技術である。【解決手段】収納袋２は、ベルト５を備えた柔軟性を有する袋状に形成するとともに、上端を紐部材２２により開閉自在な開口部２３に形成し、筒状体３は、上方の可撓性筒部３１と下方の剛性筒部３２とを備えており、散布ノズル４は、筒状体３の筒芯方向３３に対して所定角度をなす楕円状の平面板４１と平面板４１の周縁から上方に立ち上がる周壁部４２とを備えるとともに、周壁部４２における前壁部４２ａに１個又は複数個の散布孔４３と両側壁部４２ｂにそれぞれ複数個の散布孔４３とを備え、各散布孔４３は、平面板４１に接する円弧状又は半円状に形成したものである。【選択図】図１
2016111983.tif 000002
【特許請求の範囲】
【請求項１】
農薬、肥料等の粉粒物を収納する収納袋と、前記収納袋の下方に設けられた粉粒物出口と、前記粉粒物出口に接続された粉粒物を下方に流動させる筒状体と、前記筒状体の下端に設けられた散布ノズルとを備えた粉粒物散布器において、
前記収納袋は、長さ調節可能な肩掛け用又は首掛け用のベルトを備えた柔軟性を有する袋状に形成するとともに、上端を紐部材により開閉自在な開口部に形成しており、
前記筒状体は、上方の可撓性筒部と下方の剛性筒部とを備えており、
前記散布ノズルは、前記筒状体の筒芯方向に対して所定角度をなす楕円状の平面板と前記平面板の周縁から上方に立ち上がる周壁部とを備えるとともに、前記周壁部における前壁部に１個又は複数個の散布孔と両側壁部にそれぞれ複数個の散布孔とを備え、
前記各散布孔は、前記平面板に接する円弧状又は半円状に形成したしたことを特徴とする粉粒物散布器。
【請求項２】
前記収納袋の開口部は、散布用粉粒物を収納したパッケージの出口を上方にして前記収納袋により前記パッケージを覆うとともに、前記パッケージ及び前記収納袋を反転させて、前記パッケージの出口から前記散布用粉粒物を前記収納袋内に移すことができるようにしたことを特徴とする請求項１に記載の粉粒物散布器。
【請求項３】
前記収納袋の前記粉粒物出口には、円筒部に雄ねじを形成するとともに前記収納袋内に位置するフランジを備えた雄継手を設け、
前記散布ノズルを通過可能な中心孔と、前記中心孔の周縁の鍔部と、前記雄ねじに螺合する雌ねじとを備えた雌継手を形成し、
前記筒状体の上端にラッパ状に外側に向かった拡径部を形成し、前記散布ノズルから装着して前記拡径部に当接させた前記雌継手を、前記収納袋の前記粉粒物出口が前記雄継手の雄ねじに被さった状態で螺合して、前記粉粒物出口に前記筒状体を接続したことを特徴とする請求項１又は２に記載の粉粒物散布器。
【発明の詳細な説明】
【技術分野】
【０００１】
本発明は、農薬、肥料等の粉粒物を収納する収納袋と、収納袋の下方に設けられた粉粒物出口と、粉粒物出口に接続された粉粒物を下方に流動させる筒状体と、筒状体の下端に設けられた散布ノズルとを備えた粉粒物散布器に係り、特に、パッケージに収納した粉粒物を入れやすい収納袋とするとともに、散布し易い粉粒物散布器とした技術である。
【背景技術】
【０００２】
従来、農薬、肥料等の粉粒物を散布する粉粒物散布器として、エンジン式散布器、電池式散布器、手回し散布器、流下式散布器などの各種形式の散布器が知られているが、以下、手軽に散布できる流下式散布器について説明する。
従来の流下式散布器として、取っ手を形成した収納容器の下部からパイプを経て扇状拡散ノズルから散布するようにしたものが知られている（例えば、特許文献１、特許文献２参照）。
【０００３】
また、従来、流下式散布器であって、ファスナー付の開口部と肩掛バンドとを備えた収納部の底部前端から屈曲自在の蛇腹を介設したパイプを経て拡散ノズルから粉粒物を散布する際に、パイプを左右に振ることにより、粉粒物を飛散させるようにものが知られている（例えば、特許文献３参照）。
さらに、従来、流下式散布器であって、大量の粉粒物を収納可能とした背負い式散布器も知られている（特許文献４、特許文献５参照）。
【先行技術文献】
【特許文献】
【０００４】
【特許文献１】実公昭６３−３３６４２号公報
【特許文献２】特開平８−２８１１５７号公報
【特許文献３】特許第３５２２３５４号公報
【特許文献４】特開２００１−１４８９９３号公報
【特許文献５】特開２００５−１３７２３０号公報
【発明の概要】
【発明が解決しようとする課題】
【０００５】
特許文献１及び特許文献２に記載された従来の技術は、手持用の取っ手を形成した収納容器を備えた流下式の粉粒物散布器であるが、散布用粉粒物を収納したパッケージから収納容器に散布用粉粒物を移すときに、収納容器の開口部が小さくこぼさない移すことが困難であるという課題があった。
また、特許文献１及び特許文献２に記載された従来の技術は、扇状拡散ノズルから流下式で粉粒物を散布するため、扇状拡散ノズルを散布場所の上方に移動させる必要があり、散布のために動き回る必要があり、時間も労力もかかるという課題があった。
【０００６】
特許文献３に記載された従来の技術は、ファスナー付の開口部と肩掛バンドとを備えた収納部の底部前端から屈曲自在の蛇腹を介設したパイプを経て拡散ノズルから粉粒物を散布する際に、パイプを左右に振るようにしているため、特許文献１及び特許文献２に記載のような、散布のために動き回る必要はないが、散布用粉粒物を収納したパッケージから収納部に散布用粉粒物を移すときに、ファスナー付の開口部が小さくこぼさないで移すことが困難であるという課題があった。
また、特許文献３に記載された従来の技術は、拡散ノズルの構成が不明であり、散布の必要な場所に確実に散布できる拡散ノズルを備えていないという課題があった。
【０００７】
特許文献４及び特許文献５に記載された従来の技術は、背負い式であるためフレーム等が必要で構成が複雑で大型で重いという課題があった。
また、特許文献４及び特許文献５に記載された従来の技術は、背負い式であるため、粉粒物を流下させるパイプを袋体の側面下方に接続することとなり、収納した粉粒物を全部散布することができないという課題もあった。
【０００８】
そこで、本発明は、このような従来の技術が有していた課題を解決しようとするものであり、パッケージに収納した粉粒物を入れやすい収納袋とするとともに、散布し易い粉粒物散布器することを目的としている。
【課題を解決するための手段】
【０００９】
請求項１に係る本発明の粉粒物散布器は、農薬、肥料等の粉粒物を収納する収納袋と、前記収納袋の下方に設けられた粉粒物出口と、前記粉粒物出口に接続された粉粒物を下方に流動させる筒状体と、前記筒状体の下端に設けられた散布ノズルとを備えた粉粒物散布器において、
前記収納袋は、長さ調節可能な肩掛け用又は首掛け用のベルトを備えた柔軟性を有する袋状に形成するとともに、上端を紐部材により開閉自在な開口部に形成しており、
前記筒状体は、上方の可撓性筒部と下方の剛性筒部とを備えており、
前記散布ノズルは、前記筒状体の筒芯方向に対して所定角度をなす楕円状の平面板と前記平面板の周縁から上方に立ち上がる周壁部とを備えるとともに、前記周壁部における前壁部に１個又は複数個の散布孔と両側壁部にそれぞれ複数個の散布孔とを備え、
前記各散布孔は、前記平面板に接する円弧状又は半円状に形成したものである。
【００１０】
請求項２に係る本発明の粉粒物散布器は、請求項１に記載の粉粒物散布器の構成に加え、前記収納袋の開口部は、散布用粉粒物を収納したパッケージの出口を上方にして前記収納袋により前記パッケージを覆うとともに、前記パッケージ及び前記収納袋を反転させて、前記パッケージの出口から前記散布用粉粒物を前記収納袋内に移すことができるようにしたものである。
【００１１】
請求項３に係る本発明の粉粒物散布器は、請求項１又は２に記載の粉粒物散布器の構成に加え、前記収納袋の前記粉粒物出口には、円筒部に雄ねじを形成するとともに前記収納袋内に位置するフランジを備えた雄継手を設け、
前記散布ノズルを通過可能な中心孔と、前記中心孔の周縁の鍔部と、前記雄ねじに螺合する雌ねじとを備えた雌継手を形成し、
前記筒状体の上端にラッパ状に外側に向かった拡径部を形成し、前記散布ノズルから装着して前記拡径部に当接させた前記雌継手を、前記収納袋の前記粉粒物出口が前記雄継手の雄ねじに被さった状態で螺合して、前記粉粒物出口に前記筒状体を接続したものである。
【発明の効果】
【００１２】
請求項１に係る本発明の粉粒物散布器の効果は、収納袋は、長さ調節可能な肩掛け用又は首掛け用のベルトを備えた柔軟性を有する袋状に形成するとともに、上端を紐部材により開閉自在な開口部に形成したから、散布用粉粒物を収納したパッケージから収納袋への散布用粉粒物を容易に移すことができるのである。
また、筒状体は、上方の可撓性筒部と下方の剛性筒部とを備えており、散布ノズルは、筒状体の筒芯方向に対して所定角度をなす楕円状の平面板と平面板の周縁から上方に立ち上がる周壁部とを備えるとともに、周壁部における前壁部に１個又は複数個の散布孔と両側壁部にそれぞれ複数個の散布孔とを備え、各散布孔は、平面板に接する円弧状又は半円状に形成したから、必要な場所に確実に散布できるができるのである。
すなわち、筒状体を左右に振りまわして広い場所に粉粒物を能率よく散布することもできるし、筒状体を振りまわさないでノズルを散布の必要な場所に位置させて散布の必要な狭い場所に自然落下により粉粒物の散布を行うこともできるのである。
【００１３】
請求項２に係る本発明の粉粒物散布器の効果は、請求項１に係る本発明の粉粒物散布器の効果に加え、収納袋の開口部は、散布用粉粒物を収納したパッケージの出口を上方にして収納袋によりパッケージを覆うとともに、パッケージ及び収納袋を反転させて、パッケージの出口から散布用粉粒物を収納袋内に移すことができるようにしたから、散布用粉粒物を収納したパッケージから収納袋への散布用粉粒物を一層容易に移すことができるのである。
【００１４】
請求項３に係る本発明の粉粒物散布器の効果は、請求項１又は２に係る本発明の粉粒物散布器の効果に加え、収納袋の粉粒物出口には、収納袋内に位置するフランジを備えた雄継手を設け、散布ノズルを通過可能な中心孔、中心孔の周縁の鍔部及び雄ねじに螺合する雌ねじとを備えた雌継手を形成し、筒状体の上端にラッパ状に外側に向かった拡径部を形成し、散布ノズルから装着して拡径部に当接させた雌継手を、収納袋の粉粒物出口が雄継手の雄ねじに被さった状態で螺合して、粉粒物出口に筒状体を接続したから、収納袋と筒状体との接続を、雌継手と雄継手との螺合により簡単に行うことができるとともに、これら継手の製作も簡単に行うことができるのである。
【図面の簡単な説明】
【００１５】
【図１】本発明の実施の形態に係る粉粒物散布器を示す正面図である。
【図２】図１の平面図である。
【図３】図１の右側面図である。
【図４】図１の斜視図である。
【図５】本発明の実施の形態に係る粉粒物散布器の筒状体及び散布ノズルを示す図面で、（ａ）は正面図及び（ｂ）は断面図である。
【図６】図５の部分図で、（ａ）は図５（ａ）のＡ−Ａ線拡大断面図、（ｂ）は図５（ｂ）のＢ−Ｂ線拡大断面図、（ｃ）は図５（ａ）のＣ矢視図及び（ｄ）は図５（ａ）のＤ部拡大図である。
【図７】本発明の実施の形態に係る粉粒物散布器の雄継手及び雌継手を示す図面で、（ａ）は雄継手の正面図、（ｂ）は雄継手の断面図、（ｃ）は雌継手の正面図及び（ｄ）は雌継手の断面図である。
【図８】本発明の実施の形態に係る粉粒物散布器の使用状態を示す説明図である。
【発明を実施するための形態】
【００１６】
以下、本発明の実施の形態を添付した図面により詳細に説明する。
図１〜図８は本発明の実施の形態に係る図面であり、図１は粉粒物散布器の正面図、図２は図１の平面図、図３は図１の右平面図、図４は図１の斜視図、図５は筒状体及び散布ノズルの正面図及び断面図、図６は図５の部分図、図７は継手の図面及び図８は粉粒物散布器の使用状態の説明図である。
【００１７】
図１〜図４において、１は農薬、肥料等の粉粒物を散布する粉粒物散布器であり、この実施の形態では、粉粒物として粒状の除草剤を散布するようにしている。
粉粒物散布器１は、粉粒物を収納する収納袋２と、収納袋２の下方に設けられた粉粒物出口２１と、粉粒物出口２１に接続された粉粒物を下方に流動させる筒状体３と、筒状体３の下端に設けられた散布ノズル４とを備えている。
【００１８】
収納袋２は、長さ調節可能な肩掛け用又は首掛け用のベルト５を備えた柔軟性を有する袋状の袋本体２ａに形成している。
袋本体２ａは、下方側の下部袋本体２ｂの材質をポリエチレンとしたフラットヤーンで形成しており、上方側の上部袋本体２ｃを合成繊維製の布地で形成して、下方側の下部袋本体２ｂの上端から下方４５ｍｍを折り返して二重部分２ｄを形成し、二重部分２ｄの内側位置に、上部袋本体２ｃの下端を縫製して一体化している。
【００１９】
そして、上部袋本体２ｃの上端から下方に２０ｍｍ折り返して紐保持部（図示せず）を形成して、紐保持部に紐部材２２を通して紐部材２２により開閉自在な開口部２３に形成している。
また、ベルト５は、長さ調節ベルト部５ａと固定ベルト部５ｂと支持ベルト部５ｃとから形成したポリエステル製である。
【００２０】
長さ調節ベルト部５ａは、合成樹脂製のアジャスタ―５１と合成樹脂製の折返し接続具５２とを設けて、一端を下部袋本体２ｂの二重部分２ｄに縫製により固定するとともに、アジャスター５１を介して折返し接続具５２で折り返した他端をアジャスター５１に固定することにより、アジャスター５１と折返し接続具５２との間でループ５ｄを形成してループ５ｄの長さをアジャスター５１で調節することにより、ベルト５の長さを調節可能としている。
さらに、ベルト５は、折返し接続具５２に一端を固定した固定ベルト部５ｂの他端を下部袋本体２ｂの二重部分２ｄにおける長さ調節ベルト部５ａの一端を固定した位置と対向する位置に縫製により固定している。
【００２１】
この実施の形態では、長さ調節ベルト部５ａの一端を下部袋本体２ｂの二重部分２ｄにおける前記粉粒物出口２１に近い側の位置に固定し、固定ベルト部５ｂの他端を下部袋本体２ｂの二重部分２ｄにおける粉粒物出口２１に遠い側の位置に固定している。
また、長さ調節ベルト部５ａ及び固定ベルト５ｂを固定した位置の下方からそれぞれ二股状に分岐して下部袋本体２ｂの下方側周囲を取り囲んだ環状の支持ベルト部５ｃを形成している。
【００２２】
したがって、収納袋２に粉粒物として例えば７ｋｇの除草剤を収納しても、支持ベルト部５ｃにより下部袋本体２ｂに局所的な力がかかることがなく、収納袋２が破れるようなことがないのである。
そして、収納袋２の開口部２３は、散布用粉粒物を収納したパッケージ（図示せず）の出口を上方にして開いた状態で、収納袋２によりパッケージを覆うとともに、パッケージ及び収納袋２を反転させて、パッケージの出口から散布用粉粒物を収納袋２内に移すことができるようにしている。
【００２３】
また、収納袋２は、下方側の下部袋本体２ｂをポリエチレン製のフラットヤーンで形成し、上方側の上部袋本体２ｃを合成繊維製の布地で形成して一体化することにより、下部袋本体２ｂで強度と柔軟性のバランスを取りながら、上部袋本体２ｃを下部袋本体２ｂよりも柔軟に形成している。
したがって、散布用粉粒物を収納したパッケージの出口を上方にして出口が開いた状態で、収納袋２によりパッケージを覆い、反転させて、パッケージの出口から散布用粉粒物を収納袋２内に移すことが容易となるのである。
【００２４】
次に、前記筒状体３は、上方の蛇腹状の可撓性筒部３１と下方の剛性筒部３２とを備えており、図５に示すように、筒状体３における可撓性筒部３１の上端にラッパ状に外側に向かった拡径部３４及び先細の補強部３５とを形成している。
また、筒状体３の長さは約７４５ｍｍに形成しており、可撓性筒部３１の長さが約１７５ｍｍであり、図６（ａ）に示すように、筒芯方向３３の周面に６条の凹部３６と１０本の環状筋部３７を備えた第一剛性筒部３２ａを約１００ｍｍの長さに形成しており、図６（ｂ）に示すように、底部に筒芯方向３３の１条の凹部３８を備えた第二剛性筒部３２ｂを約４４５ｍｍの長さに形成している。
【００２５】
次に、前記散布ノズル４は、筒状体３の筒芯方向３３に対して所定角度、例えば４５度をなす楕円状の平面板４１と平面板４１の周縁から上方に立ち上がる周壁部４２とを備えるとともに、周壁部４２における前壁部４２ａに１個の散布孔４３と両側壁部４２ｂにそれぞれ３個の散布孔４３とを備えている。
楕円状の平面板４１は、図６（ｃ）に示すように、短径が３９ｍｍで長径が７７ｍｍであり、各散布孔４３は、図６（ｄ）に示すように、楕円状の平面板４１に接する半円状に形成している。
【００２６】
散布孔４３の半円状の寸法は、直径１２ｍｍの半円部と半円部における１２ｍｍの直径部分を１ｍｍ延長して備えた高さが７ｍｍの半円状に形成している。
そして、筒状体３及び散布ノズル４は、補強部３５、拡径部３４、可撓性筒部３１、第一剛性筒部３２ａ、第二剛性筒部３２ｂ及び散布ノズル４を、ポリエチレンのブロー成形により一体に形成している。
【００２７】
散布ノズル４については、前壁部４２ａに形成する１つの散布孔４３及び両側壁部４２ｂに形成する合計６つの散布孔４３を、ブロー成形時には、形成する散布孔４３の外側に膨出部ができるように金型を形成し、ブロー成形後に膨出部を切断して散布孔４３に形成するのである。
次に、収納袋２と筒状体３とを接続する雄継手６及び雌継手７について説明する。
【００２８】
雄継手６は、円筒部６ａに雄ねじ６１を形成するとともに収納袋２の下部袋本体２ｂ内に位置する円形のフランジ６２を備えており、収納袋２の下部袋本体２ｂの粉粒物出口２１から円筒部６ａを突出させた状態で下部袋本体２ｂの粉粒物出口２に設けるのである。
また、雌継手７は、散布ノズル４を通過可能な中心孔７１と、中心孔７１の周縁の鍔部７２と、雄継手６に形成した雄ねじ６１に螺合する雌ねじ６１とを備えている。
【００２９】
そして、収納袋２と筒状体３との接続は、雌継手７をその中心孔７１により散布ノズル４を通過させて筒状部３の拡径部３４に当接させ、下部袋本体２ｂの粉粒物出口２１から突出する雄継手６の雄ねじ６１に粉粒物出口２１が被さった状態で、雌継手７の雌ねじ７３を雄ねじ６１に螺合することにより行うのである。
このように構成した粉粒物散布器１は、図８に例示するように、筒状体３を左右に振り回して広い場所、特に、最近では、休耕地や緑地に設置したメガソーラーの周辺に、粉粒物としての除草剤を能率よく散布して、ソーラーが雑草で日陰にならないようにするのである。
【００３０】
この場合、筒状体３を左右に振り回すと散布ノズル４がソーラーに接触する場所では、散布ノズル４を散布する箇所の上方に位置させて除草剤を自然落下により散布するのである。
以上の実施の形態では、収納袋２を下部袋本体２ｂと上部袋本体２ｃとを分割し、縫製により一体化したが、分割することなく、一体の収納袋としてもよい。
【００３１】
以上の実施の形態では、筒状体３及び散布ノズル４は、補強部３５、拡径部３４、可撓性筒部３１、第一剛性筒部３２ａ、第二剛性筒部３２ｂ及び散布ノズル４を、ポリエチレンのブロー成形により一体に形成したが、適宜の部分に分割して製作して組み立ててもよい。
この場合、散布ノズルの散布孔の個数及び大きさを、各種散布用粉粒物の性状に適合させた複数の散布ノズルを形成して、散布用粉粒物ごとに散布ノズルを付け替えるようにしてもよい。
【００３２】
また、以上の実施の形態では、散布ノズル４の散布孔４３は、周壁部４２における前壁部４２ａに１個と、両側壁部４２ｂにそれぞれ３個設けているが、前壁部４２ａにも複数個の散布孔４３を設けてもよい。
なお、粉粒物の散布は、筒状体３を左右に振ることで、広範囲に能率よく行うことができるので、各側壁部４２ｂの散布孔４３の個数を前壁部４２ａの散布孔４３の個数よりも多くすることが好ましい。
【００３３】
また、以上の実施の形態では、散布孔４３の形状は、半円よりも高さの大きい半円状に形成したが、半円よりも高さの小さい円弧状に形成してもよい。
以上の実施の形態では、収納袋２と筒状体３との接続は、下部袋本体２ｂの粉粒物出口２１から突出する雄継手６の雄ねじ６１に粉粒物出口２１が被さった状態で、雌継手７の雌ねじ７３を螺合することにより行うようにしたが、筒状体の上端を粉粒物出口に差し込んでバンドなどで固定してもよい。
【００３４】
また、以上の実施の形態では、具体的な寸法などの数値や材質を例示したが、必要な仕様に合わせて適宜変更することができる。
【符号の説明】
【００３５】
１    粉粒物散布器
２    収納袋
２１  粉粒物出口
２２  紐部材
２３  開口部
３    筒状体
３１  可撓性筒部
３２  剛性筒部
３３  筒芯方向
３４  拡径部
４    散布ノズル
４１  平面板
４２  周壁部
４２ａ  前壁部
４２ｂ  側壁部
４３  散布孔
５    ベルト
６    雄継手
６ａ  円筒部
６１  雄ねじ
６２  フランジ
７    雌継手
７１  中心孔
７２  鍔部
７３  雌ねじ
【図１】
2016111983.tif 000003
【図２】
2016111983.tif 000004
【図３】
2016111983.tif 000005
【図４】
2016111983.tif 000006
【図５】
2016111983.tif 000007
【図６】
2016111983.tif 000008
【図７】
2016111983.tif 000009
【図８】
2016111983.tif 000010